(57)【要約】【課題】泌乳ステージ別又は繁殖ステージ別に牛群を把握できるとともに乳牛について変更情報を入力しやすい牛群管理システムを提供すること。【解決手段】情報端末機２０では、利用者が選択した、泌乳ステージ表示ステップで表示された泌乳ステージ区分のいずれかの泌乳ステージ区分に、該当する乳牛について、繁殖ステージ表示ステップに移行して表示し、又は利用者が選択した、繁殖ステージ表示ステップで表示された繁殖ステージ区分のいずれかの繁殖ステージ区分に、該当する乳牛について、泌乳ステージ表示ステップに移行して表示し、移行した後の、繁殖ステージ表示ステップ又は泌乳ステージ表示ステップでは、該当する乳牛がそれぞれの個体識別番号で表示され、表示された個体識別番号を利用者が特定することで、個体識別番号が付与された乳牛について変更情報を入力でき、入力された変更情報を表示するとともにサーバー１０に送信する。【選択図】        図１
2020156359.tif 000002
【特許請求の範囲】
【請求項１】
乳牛について、前記乳牛の個体を識別する個体識別番号とともに、少なくとも、分娩後の日数及び繁殖ステージ区分を乳牛管理情報として登録する乳牛情報データーベースを有するサーバーと、
前記乳牛情報データーベースから抽出された前記乳牛管理情報を表示するとともに、前記乳牛管理情報を変更する変更情報が利用者によって入力されると、入力された前記変更情報を前記サーバーに送信する情報端末機と
がネットワークで接続され、
複数の前記乳牛を管理する牛群管理システムであって、
前記情報端末機が、
前記乳牛の分娩後の前記日数に応じて、複数の泌乳ステージ区分を表示する泌乳ステージ表示ステップと、
少なくとも妊娠中、授精待、又は授精済に区分する前記繁殖ステージ区分を表示する繁殖ステージ表示ステップと
を有し、
前記情報端末機では、
前記泌乳ステージ表示ステップで表示された前記泌乳ステージ区分のいずれかの前記泌乳ステージ区分を前記利用者が選択することで、選択された前記泌乳ステージ区分に該当する前記乳牛について、前記繁殖ステージ表示ステップに移行して表示し、又は前記繁殖ステージ表示ステップで表示された前記繁殖ステージ区分のいずれかの前記繁殖ステージ区分を前記利用者が選択することで、選択された前記繁殖ステージ区分に該当する前記乳牛について、前記泌乳ステージ表示ステップに移行して表示し、
移行した後の前記繁殖ステージ表示ステップ、又は移行した後の前記泌乳ステージ表示ステップでは、該当する前記乳牛がそれぞれの前記個体識別番号で表示され、
表示された前記個体識別番号を前記利用者が特定することで、前記個体識別番号が付与された前記乳牛について前記変更情報を入力でき、
入力された前記変更情報を表示するとともに前記サーバーに送信する
ことを特徴とする牛群管理システム。
【請求項２】
前記泌乳ステージ表示ステップで表示された前記泌乳ステージ区分のいずれかの前記泌乳ステージ区分を前記利用者が選択することで、選択された前記泌乳ステージ区分に該当する前記乳牛について、前記繁殖ステージ表示ステップに移行して表示する場合には、
前記泌乳ステージ表示ステップでは、
前記泌乳ステージ区分には、泌乳初期、泌乳最盛期、泌乳中期、及び泌乳後期を含み、
前記泌乳ステージ区分別に、該当する前記乳牛の総数を表示し、
前記繁殖ステージ表示ステップでは、
選択された前記泌乳ステージ区分に該当する前記乳牛について、前記繁殖ステージ区分別に、前記個体識別番号を表示する
ことを特徴とする請求項１に記載の牛群管理システム。
【請求項３】
前記サーバー又は前記情報端末機では、
前記泌乳ステージ表示ステップで表示する前に、
前記個体識別番号別に、分娩後の前記日数から、前記泌乳初期、前記泌乳最盛期、前記泌乳中期、及び前記泌乳後期を判別し、
判別した前記泌乳初期、前記泌乳最盛期、前記泌乳中期、及び前記泌乳後期別に前記個体識別番号を集計し、
前記繁殖ステージ表示ステップで表示する前に、
選択された前記泌乳ステージ区分に該当する前記乳牛について、前記繁殖ステージ区分別に、前記個体識別番号を抽出する
ことを特徴とする請求項２に記載の牛群管理システム。
【請求項４】
前記繁殖ステージ表示ステップで表示された前記繁殖ステージ区分のいずれかの前記繁殖ステージ区分を前記利用者が選択することで、選択された前記繁殖ステージ区分に該当する前記乳牛について、前記泌乳ステージ表示ステップに移行して表示する場合には、
前記繁殖ステージ表示ステップでは、
前記繁殖ステージ区分別に、該当する前記乳牛の総数を表示し、
前記泌乳ステージ表示ステップでは、
選択された前記繁殖ステージ区分に該当する前記乳牛について、前記泌乳ステージ区分別に、前記個体識別番号を表示する
ことを特徴とする請求項１に記載の牛群管理システム。
【請求項５】
前記サーバー又は前記情報端末機では、
前記繁殖ステージ表示ステップで表示する前に、
前記繁殖ステージ区分別に、該当する前記個体識別番号を集計し、
前記泌乳ステージ表示ステップで表示する前に、
選択された前記繁殖ステージ区分に該当する前記乳牛について、前記泌乳ステージ区分別に、前記個体識別番号を抽出する
ことを特徴とする請求項４に記載の牛群管理システム。
【請求項６】
前記泌乳ステージ表示ステップ又は前記繁殖ステージ表示ステップで表示される前記乳牛の前記総数を、健常牛と疾病牛とに分けて表示する
ことを特徴とする請求項２から請求項５のいずれか１項に記載の牛群管理システム。
【請求項７】
前記繁殖ステージ区分別に表示される前記個体識別番号を、健常牛と疾病牛とに分けて表示する
ことを特徴とする請求項２又は請求項３に記載の牛群管理システム。
【請求項８】
前記泌乳ステージ区分別に表示される前記個体識別番号を、健常牛と疾病牛とに分けて表示する
ことを特徴とする請求項４又は請求項５に記載の牛群管理システム。
【請求項９】
前記情報端末機では、
前記変更情報の入力を促す属性変更アイコンとして、健常牛アイコンを表示し、
前記利用者が前記疾病牛である前記個体識別番号を前記健常牛アイコンの位置に移動することで、移動された前記個体識別番号の前記健常牛を健康牛として記憶し、
前記健康牛として記憶された前記変更情報を表示するとともに前記サーバーに送信する
ことを特徴とする請求項７又は請求項８に記載の牛群管理システム。
【請求項１０】
前記乳牛情報データーベースには、前記個体識別番号とともに疾病情報が登録され、
前記疾病情報には、少なくとも出荷制限開始日を含み、
前記サーバーでは、前記出荷制限開始日からの経過日数が出荷制限日数を越えると、前記疾病情報を変更する
ことを特徴とする請求項１に記載の牛群管理システム。
【請求項１１】
前記情報端末機では、
前記変更情報の入力を促す属性変更アイコンを表示し、
前記利用者が前記個体識別番号を前記属性変更アイコンの位置に移動することで、移動された前記個体識別番号の前記乳牛について、前記属性変更アイコンで定義された前記変更情報を記憶し、
前記変更情報を表示するとともに前記サーバーに送信する
ことを特徴とする請求項１から請求項８のいずれか１項に記載の牛群管理システム。
【発明の詳細な説明】
【技術分野】
【０００１】
本発明は、複数の乳牛を管理する牛群管理システムに関する。
【背景技術】
【０００２】
特許文献１では、情報端末装置と中央管理装置とをネットワークで接続し、中央管理装置におけるウェブサイトは、時系列に沿って、畜産動物に関して実施した活動及びコメントを入力及び出力することができるとともに、畜産動物の頭数の推移、その内訳、及び経営方針に参考となるデータを出力することができる畜産動物管理システムを提案している。
特許文献１によれば、畜産動物の個体情報を有効に活用して、飼育領域全体の状況を把握でき、経営方針の参考資料をも入手することができる。
【先行技術文献】
【特許文献】
【０００３】
【特許文献１】特開２０１５−１６７５２９号公報
【発明の開示】
【発明が解決しようとする課題】
【０００４】
ところで、現在の乳量、及び今後の乳量予測を行う上では泌乳ステージ別に牛群を把握する必要があり、更に将来的な乳量を確保する上では繁殖ステージ別に牛群を把握する必要がある。
【０００５】
そこで、本発明は、泌乳ステージ別又は繁殖ステージ別に牛群を把握できるとともに乳牛について変更情報を入力しやすい牛群管理システムを提供することを目的とする。
【課題を解決するための手段】
【０００６】
請求項１記載の本発明の牛群管理システムは、乳牛について、前記乳牛の個体を識別する個体識別番号とともに、少なくとも、分娩後の日数及び繁殖ステージ区分を乳牛管理情報として登録する乳牛情報データーベース１１を有するサーバー１０と、前記乳牛情報データーベース１１から抽出された前記乳牛管理情報を表示するとともに、前記乳牛管理情報を変更する変更情報が利用者によって入力されると、入力された前記変更情報を前記サーバー１０に送信する情報端末機２０とがネットワークで接続され、複数の前記乳牛を管理する牛群管理システムであって、前記情報端末機２０が、前記乳牛の分娩後の前記日数に応じて、複数の泌乳ステージ区分を表示する泌乳ステージ表示ステップと、少なくとも妊娠中、授精待、又は授精済に区分する前記繁殖ステージ区分を表示する繁殖ステージ表示ステップとを有し、前記情報端末機２０では、前記泌乳ステージ表示ステップで表示された前記泌乳ステージ区分のいずれかの前記泌乳ステージ区分を前記利用者が選択することで、選択された前記泌乳ステージ区分に該当する前記乳牛について、前記繁殖ステージ表示ステップに移行して表示し、又は前記繁殖ステージ表示ステップで表示された前記繁殖ステージ区分のいずれかの前記繁殖ステージ区分を前記利用者が選択することで、選択された前記繁殖ステージ区分に該当する前記乳牛について、前記泌乳ステージ表示ステップに移行して表示し、移行した後の前記繁殖ステージ表示ステップ、又は移行した後の前記泌乳ステージ表示ステップでは、該当する前記乳牛がそれぞれの前記個体識別番号で表示され、表示された前記個体識別番号を前記利用者が特定することで、前記個体識別番号が付与された前記乳牛について前記変更情報を入力でき、入力された前記変更情報を表示するとともに前記サーバー１０に送信することを特徴とする。
請求項２記載の本発明は、請求項１に記載の牛群管理システムにおいて、前記泌乳ステージ表示ステップで表示された前記泌乳ステージ区分のいずれかの前記泌乳ステージ区分を前記利用者が選択することで、選択された前記泌乳ステージ区分に該当する前記乳牛について、前記繁殖ステージ表示ステップに移行して表示する場合には、前記泌乳ステージ表示ステップでは、前記泌乳ステージ区分には、泌乳初期、泌乳最盛期、泌乳中期、及び泌乳後期を含み、前記泌乳ステージ区分別に、該当する前記乳牛の総数を表示し、前記繁殖ステージ表示ステップでは、選択された前記泌乳ステージ区分に該当する前記乳牛について、前記繁殖ステージ区分別に、前記個体識別番号を表示することを特徴とする。
請求項３記載の本発明は、請求項２に記載の牛群管理システムにおいて、前記サーバー１０又は前記情報端末機２０では、前記泌乳ステージ表示ステップで表示する前に、前記個体識別番号別に、分娩後の前記日数から、前記泌乳初期、前記泌乳最盛期、前記泌乳中期、及び前記泌乳後期を判別し、判別した前記泌乳初期、前記泌乳最盛期、前記泌乳中期、及び前記泌乳後期別に前記個体識別番号を集計し、前記繁殖ステージ表示ステップで表示する前に、選択された前記泌乳ステージ区分に該当する前記乳牛について、前記繁殖ステージ区分別に、前記個体識別番号を抽出することを特徴とする。
請求項４記載の本発明は、請求項１に記載の牛群管理システムにおいて、前記繁殖ステージ表示ステップで表示された前記繁殖ステージ区分のいずれかの前記繁殖ステージ区分を前記利用者が選択することで、選択された前記繁殖ステージ区分に該当する前記乳牛について、前記泌乳ステージ表示ステップに移行して表示する場合には、前記繁殖ステージ表示ステップでは、前記繁殖ステージ区分別に、該当する前記乳牛の総数を表示し、前記泌乳ステージ表示ステップでは、選択された前記繁殖ステージ区分に該当する前記乳牛について、前記泌乳ステージ区分別に、前記個体識別番号を表示することを特徴とする。
請求項５記載の本発明は、請求項４に記載の牛群管理システムにおいて、前記サーバー１０又は前記情報端末機２０では、前記繁殖ステージ表示ステップで表示する前に、前記繁殖ステージ区分別に、該当する前記個体識別番号を集計し、前記泌乳ステージ表示ステップで表示する前に、選択された前記繁殖ステージ区分に該当する前記乳牛について、前記泌乳ステージ区分別に、前記個体識別番号を抽出することを特徴とする。
請求項６記載の本発明は、請求項２から請求項５のいずれか１項に記載の牛群管理システムにおいて、前記泌乳ステージ表示ステップ又は前記繁殖ステージ表示ステップで表示される前記乳牛の前記総数を、健常牛と疾病牛とに分けて表示することを特徴とする。
請求項７記載の本発明は、請求項２又は請求項３に記載の牛群管理システムにおいて、前記繁殖ステージ区分別に表示される前記個体識別番号を、健常牛と疾病牛とに分けて表示することを特徴とする。
請求項８記載の本発明は、請求項４又は請求項５に記載の牛群管理システムにおいて、前記泌乳ステージ区分別に表示される前記個体識別番号を、健常牛と疾病牛とに分けて表示することを特徴とする。
請求項９記載の本発明は、請求項７又は請求項８に記載の牛群管理システムにおいて、前記情報端末機２０では、前記変更情報の入力を促す属性変更アイコン４２として、健常牛アイコンを表示し、前記利用者が前記疾病牛である前記個体識別番号を前記健常牛アイコンの位置に移動することで、移動された前記個体識別番号の前記健常牛を健康牛として記憶し、前記健康牛として記憶された前記変更情報を表示するとともに前記サーバー１０に送信することを特徴とする。
請求項１０記載の本発明は、請求項１に記載の牛群管理システムにおいて、前記乳牛情報データーベース１１には、前記個体識別番号とともに疾病情報が登録され、前記疾病情報には、少なくとも出荷制限開始日を含み、前記サーバー１０では、前記出荷制限開始日からの経過日数が出荷制限日数を越えると、前記疾病情報を変更することを特徴とする。
請求項１１記載の本発明は、請求項１から請求項８のいずれか１項に記載の牛群管理システムにおいて、前記情報端末機２０では、前記変更情報の入力を促す属性変更アイコン４２を表示し、前記利用者が前記個体識別番号を前記属性変更アイコン４２の位置に移動することで、移動された前記個体識別番号の前記乳牛について、前記属性変更アイコン４２で定義された前記変更情報を記憶し、前記変更情報を表示するとともに前記サーバー１０に送信することを特徴とする。
【発明の効果】
【０００７】
本発明によれば、泌乳ステージ区分のいずれかの泌乳ステージ区分を利用者が選択することで、選択された泌乳ステージ区分に該当する乳牛について、繁殖ステージ区分に分けて該当する乳牛がそれぞれの個体識別番号で表示でき、又は繁殖ステージ区分のいずれかの繁殖ステージ区分を利用者が選択することで、選択された繁殖ステージ区分に該当する乳牛について、泌乳ステージ区分に分けて該当する乳牛がそれぞれの個体識別番号で表示できるため、泌乳ステージ別又は繁殖ステージ別に牛群を把握できるとともに乳牛について変更情報を入力しやすい。
【図面の簡単な説明】
【０００８】
【図１】本発明の一実施例による牛群管理システムを実現する機能実現手段を示すブロック図
【図２】同牛群管理システムの利用において、泌乳ステージ表示から開始する場合の処理フロー図
【図３】同処理フローで表示される表示イメージ図
【図４】泌乳ステージ表示ステップで表示される泌乳ステージの表示イメージ図
【図５】泌乳中期にある乳牛についての繁殖ステージ区分別の表示イメージ図
【図６】泌乳後期にある乳牛についての繁殖ステージ区分別の表示イメージ図
【図７】図６に示す表示イメージ図において属性変更アイコンを表示させた状態を示す表示イメージ図
【図８】Ｓ１３における状態変更の操作を説明する繁殖ステージ区分別の表示イメージ図
【図９】Ｓ１５における変更情報が反映された状態での繁殖ステージ区分別の表示イメージ図
【図１０】同牛群管理システムの利用において、繁殖ステージ表示から開始する場合の処理フロー図
【図１１】繁殖ステージ表示ステップで表示される繁殖ステージの表示イメージ図
【図１２】同処理フローで表示される表示イメージ図
【図１３】同処理フローで表示される表示イメージ図
【発明を実施するための形態】
【０００９】
本発明の第１の実施の形態による牛群管理システムは、情報端末機が、乳牛の分娩後の日数に応じて、複数の泌乳ステージ区分を表示する泌乳ステージ表示ステップと、少なくとも妊娠中、授精待、又は授精済に区分する繁殖ステージ区分を表示する繁殖ステージ表示ステップとを有し、情報端末機では、泌乳ステージ表示ステップで表示された泌乳ステージ区分のいずれかの泌乳ステージ区分を利用者が選択することで、選択された泌乳ステージ区分に該当する乳牛について、繁殖ステージ表示ステップに移行して表示し、又は繁殖ステージ表示ステップで表示された繁殖ステージ区分のいずれかの繁殖ステージ区分を利用者が選択することで、選択された繁殖ステージ区分に該当する乳牛について、泌乳ステージ表示ステップに移行して表示し、移行した後の繁殖ステージ表示ステップ、又は移行した後の泌乳ステージ表示ステップでは、該当する乳牛がそれぞれの個体識別番号で表示され、表示された個体識別番号を利用者が特定することで、個体識別番号が付与された乳牛について変更情報を入力でき、入力された変更情報を表示するとともにサーバーに送信するものである。本実施の形態によれば、泌乳ステージ区分のいずれかの泌乳ステージ区分を利用者が選択することで、選択された泌乳ステージ区分に該当する乳牛について、繁殖ステージ区分に分けて該当する乳牛がそれぞれの個体識別番号で表示でき、又は繁殖ステージ区分のいずれかの繁殖ステージ区分を利用者が選択することで、選択された繁殖ステージ区分に該当する乳牛について、泌乳ステージ区分に分けて該当する乳牛がそれぞれの個体識別番号で表示できるため、泌乳ステージ別又は繁殖ステージ別に牛群を把握できるとともに乳牛について変更情報を入力しやすい。
【００１０】
本発明の第２の実施の形態は、第１の実施の形態による牛群管理システムにおいて、泌乳ステージ表示ステップで表示された泌乳ステージ区分のいずれかの泌乳ステージ区分を利用者が選択することで、選択された泌乳ステージ区分に該当する乳牛について、繁殖ステージ表示ステップに移行して表示する場合には、泌乳ステージ表示ステップでは、泌乳ステージ区分には、泌乳初期、泌乳最盛期、泌乳中期、及び泌乳後期を含み、泌乳ステージ区分別に、該当する乳牛の総数を表示し、繁殖ステージ表示ステップでは、選択された泌乳ステージ区分に該当する乳牛について、繁殖ステージ区分別に、個体識別番号を表示するものである。本実施の形態によれば、泌乳ステージ表示ステップでは、泌乳初期、泌乳最盛期、泌乳中期、及び泌乳後期別に、該当する乳牛の総数が表示され、繁殖ステージ表示ステップでは、繁殖ステージ区分別に個体識別番号が表示されるため、全乳牛の状態を泌乳ステージ区分別に把握できるとともに、乳牛について変更情報を入力しやすい。
【００１１】
本発明の第３の実施の形態は、第２の実施の形態による牛群管理システムにおいて、サーバー又は情報端末機では、泌乳ステージ表示ステップで表示する前に、個体識別番号別に、分娩後の日数から、泌乳初期、泌乳最盛期、泌乳中期、及び泌乳後期を判別し、判別した泌乳初期、泌乳最盛期、泌乳中期、及び泌乳後期別に個体識別番号を集計し、繁殖ステージ表示ステップで表示する前に、選択された泌乳ステージ区分に該当する乳牛について、繁殖ステージ区分別に、個体識別番号を抽出するものである。本実施の形態によれば、泌乳ステージ表示ステップにおいては、泌乳初期、泌乳最盛期、泌乳中期、及び泌乳後期別に、該当する乳牛の総数を表示でき、繁殖ステージ表示ステップにおいては、繁殖ステージ区分別に個体識別番号を表示できる。
【００１２】
本発明の第４の実施の形態は、第１の実施の形態による牛群管理システムにおいて、繁殖ステージ表示ステップで表示された繁殖ステージ区分のいずれかの繁殖ステージ区分を利用者が選択することで、選択された繁殖ステージ区分に該当する乳牛について、泌乳ステージ表示ステップに移行して表示する場合には、繁殖ステージ表示ステップでは、繁殖ステージ区分別に、該当する乳牛の総数を表示し、泌乳ステージ表示ステップでは、選択された繁殖ステージ区分に該当する乳牛について、泌乳ステージ区分別に、個体識別番号を表示するものである。本実施の形態によれば、繁殖ステージ表示ステップでは、繁殖ステージ区分別に、該当する乳牛の総数が表示され、泌乳ステージ表示ステップでは、泌乳ステージ区分別に個体識別番号が表示されるため、全乳牛の状態を繁殖ステージ区分別に把握できるとともに、乳牛について変更情報を入力しやすい。
【００１３】
本発明の第５の実施の形態は、第４の実施の形態による牛群管理システムにおいて、サーバー又は情報端末機では、繁殖ステージ表示ステップで表示する前に、繁殖ステージ区分別に、該当する個体識別番号を集計し、泌乳ステージ表示ステップで表示する前に、選択された繁殖ステージ区分に該当する乳牛について、泌乳ステージ区分別に、個体識別番号を抽出するものである。本実施の形態によれば、繁殖ステージ表示ステップにおいては、繁殖ステージ区分別に、該当する乳牛の総数を表示でき、泌乳ステージ表示ステップにおいては、泌乳ステージ区分別に個体識別番号を表示できる。
【００１４】
本発明の第６の実施の形態は、第２から第５のいずれかの実施の形態による牛群管理システムにおいて、泌乳ステージ表示ステップ又は繁殖ステージ表示ステップで表示される乳牛の総数を、健常牛と疾病牛とに分けて表示するものである。本実施の形態によれば、泌乳ステージ区分別又は繁殖ステージ区分別に全乳牛の状態を健常牛と疾病牛とに分けて把握できる。
【００１５】
本発明の第７の実施の形態は、第２又は第３の実施の形態による牛群管理システムにおいて、繁殖ステージ区分別に表示される個体識別番号を、健常牛と疾病牛とに分けて表示するものである。本実施の形態によれば、繁殖ステージ区分別に、健常牛と疾病牛とに分けて個体識別番号を把握できる。
【００１６】
本発明の第８の実施の形態は、第４又は第５の実施の形態による牛群管理システムにおいて、泌乳ステージ区分別に表示される個体識別番号を、健常牛と疾病牛とに分けて表示するものである。本実施の形態によれば、泌乳ステージ区分別に、健常牛と疾病牛とに分けて個体識別番号を把握できる。
【００１７】
本発明の第９の実施の形態は、第７又は第８の実施の形態による牛群管理システムにおいて、情報端末機では、変更情報の入力を促す属性変更アイコンとして、健常牛アイコンを表示し、利用者が疾病牛である個体識別番号を健常牛アイコンの位置に移動することで、移動された個体識別番号の健常牛を健康牛として記憶し、健康牛として記憶された変更情報を表示するとともにサーバーに送信するものである。本実施の形態によれば、個体識別番号を、健常牛アイコンの位置に移動する操作によって変更情報を可能とすることで、間違いのない変更情報とすることができる。
【００１８】
本発明の第１０の実施の形態は、第１の実施の形態による牛群管理システムにおいて、乳牛情報データーベースには、個体識別番号とともに疾病情報が登録され、疾病情報には、少なくとも出荷制限開始日を含み、サーバーでは、出荷制限開始日からの経過日数が出荷制限日数を越えると、疾病情報を変更するものである。本実施の形態によれば、出荷制限日数があらかじめ決まっている疾病情報については、利用者が操作を行うことなく情報を更新できる。
【００１９】
本発明の第１１の実施の形態は、第１から第８のいずれかの実施の形態による牛群管理システムにおいて、情報端末機では、変更情報の入力を促す属性変更アイコンを表示し、利用者が個体識別番号を属性変更アイコンの位置に移動することで、移動された個体識別番号の乳牛について、属性変更アイコンで定義された変更情報を記憶し、変更情報を表示するとともにサーバーに送信するものである。本実施の形態によれば、個体識別番号を、属性変更アイコンの位置に移動する操作によって変更情報を可能とすることで、間違いのない変更情報とすることができる。
【実施例】
【００２０】
以下本発明の一実施例について図面とともに説明する。
図１は、本発明の一実施例による牛群管理システムを実現する機能実現手段を示すブロック図である。
本実施例による牛群管理システムは、複数の乳牛を管理するシステムであり、サーバー１０と情報端末機２０とから構成され、サーバー１０と情報端末機２０とは、情報通信網によるネットワークで接続されている。
サーバー１０は、情報通信網によるネットワークによって、検定情報ＤＢ３０から定期的に牛群検定の検定成績表を入手することができる。検定成績表によるデータには、乳量、乳成分、飼料に関する情報の他、分娩、授精、妊娠などの繁殖や乾乳に関する情報がある。
サーバー１０は、乳牛情報データーベース１１と、サーバー側処理部１２とを備えている。乳牛情報データーベース１１では、乳牛について、乳牛の個体を識別する個体識別番号とともに、少なくとも、分娩後の日数及び繁殖ステージ区分を乳牛管理情報として登録し、定期的に入手する検定情報によって乳牛管理情報を更新する。サーバー側処理部１２では乳牛情報データーベース１１に記憶された情報を処理する。
情報端末機２０は、サーバー１０との接続を行う送受信部２１と、乳牛情報データーベース１１から抽出された乳牛管理情報を表示する表示部２２と、乳牛管理情報を変更する変更情報を利用者が入力する入力部２３と、乳牛情報データーベース１１から抽出された乳牛管理情報や入力された変更情報を記憶する端末側記憶部２４と、端末側記憶部２４に記憶された情報を処理する端末側処理部２５とを備えている。
【００２１】
図２は、同牛群管理システムの利用において、泌乳ステージ表示から開始する場合の処理フロー図、図３から図９は同処理フローで表示される表示イメージ図である。
情報端末機２０は、同システムの利用開始時にサーバー１０に接続される（Ｓ１）。
Ｓ１においてサーバー１０に接続されると、報知区分別に個体識別番号が抽出され（Ｓ２）、報知情報リストに表示される（Ｓ３）。
Ｓ２における報知区分別での個体識別番号の抽出は、サーバー側処理部１２又は端末側処理部２５で行う。
【００２２】
図３は、報知情報リストの表示イメージ図である。
図３に示すように、例えば報知区分には、「疾病牛」、「出荷規制牛」、「発情予定牛」、「乾乳予定牛」、及び「分娩予定牛」がある。
乳牛情報データーベース１１から抽出された乳牛管理情報は、サーバー側処理部１２又は端末側処理部２５において、個体識別番号別に、分娩後の日数から、泌乳初期、泌乳最盛期、泌乳中期、及び泌乳後期、つまり泌乳ステージを判別し、判別した泌乳ステージ別に個体識別番号を集計する（Ｓ４）。泌乳ステージは、分娩当日から５０日経過までを泌乳初期、分娩後５１日から１１０日経過までを泌乳最盛期、分娩後１１１日から２２０日経過までを泌乳中期、分娩後２２１日以降を泌乳後期と判断する。
【００２３】
Ｓ４で集計された泌乳ステージ区分別の総数が泌乳ステージ表示として表示される（Ｓ５）。
Ｓ５における表示が泌乳ステージ表示ステップであり、乳牛の分娩後の日数に応じて、複数の泌乳ステージ区分が表示される。
図４は、泌乳ステージ表示ステップで表示される泌乳ステージの表示イメージ図である。
図４に示すように、泌乳ステージとしては、泌乳初期、泌乳最盛期、泌乳中期、及び泌乳後期に加えて、乾乳期を区分して表示することが好ましく、乾乳期については、更に乾乳前期と乾乳後期とに区分することが更に好ましい。乾乳期は次回分娩予定日の６０日前からとすると、妊娠期間は２８０日であることから、人工授精日が決定されることで次回分娩予定日が決定され、乾乳期とすべき乳牛を判別することができる。
泌乳ステージは、例えば円表示によるエリアで表示される。図４では、泌乳ステージを、泌乳初期、泌乳最盛期、泌乳中期、乾乳前期、及び乾乳後期の６つのエリアで表示している。
図４では、泌乳初期では乳牛がゼロ頭、泌乳最盛期では健常牛が２０頭、疾病牛が２頭、泌乳中期では健常牛が８頭、疾病牛が１頭、泌乳後期では健常牛が１１頭、疾病牛が２頭、乾乳前期では疾病牛が１頭、健常牛がゼロ頭、乾乳後期では健常牛が１８頭、疾病牛がゼロ頭、総数で６３頭の乳牛が存在していることを示している。
このように、泌乳ステージ区分別に、乳牛の総数を、健常牛と疾病牛とに分けて表示することが好ましい。
【００２４】
図４に示す泌乳ステージ表示ステップでいずれかの泌乳ステージ区分を表示させたい場合には（Ｓ６でＹｅｓ）、利用者は泌乳ステージ区分を選択指示する（Ｓ７）。
Ｓ７において泌乳中期を選択した場合には、サーバー側処理部１２又は端末側処理部２５において、選択された泌乳ステージ区分（泌乳中期）に該当する乳牛について、繁殖ステージ区分別に、個体識別番号を抽出する（Ｓ８）。
【００２５】
Ｓ８において繁殖ステージ区分別に抽出された個体識別番号が表示される（Ｓ９）。
Ｓ９における表示が繁殖ステージ表示ステップであり、選択された泌乳ステージ区分に該当する乳牛について、繁殖ステージ区分別に、個体識別番号が表示される。
図５は泌乳中期にある乳牛についての繁殖ステージ区分別の表示イメージ図、図６は泌乳後期にある乳牛についての繁殖ステージ区分別の表示イメージ図である。
繁殖ステージ表示ステップで表示される繁殖ステージ区分は、少なくとも妊娠中、授精待、又は授精済に区分されて表示される。
図４では、泌乳中期には健常牛が８頭、疾病牛が１頭であることが示されているが、図５では、健常牛８頭の内、授精待が５頭、授精済が３頭、疾病牛１頭は授精済であることを把握できるとともに、それぞれの個体識別番号（３１０〜３１６）を特定することができる。
また図４では、泌乳後期には健常牛が１１頭、疾病牛が２頭であることが示されているが、図６では、健常牛１１頭の内、授精待が３頭、授精済が６頭、妊娠中が２頭、疾病牛２頭の内、授精待が１頭、授精済が１頭であることを把握できるとともに、それぞれの個体識別番号（４１０〜４２２）を特定することができる。
繁殖ステージは、例えば円表示を半径方向の分割線で３分割し、３分割されたそれぞれのエリアを妊娠中、授精待、及び授精済として表示し、妊娠中、授精待、及び授精済のエリアは、円表示の分割線によってそれぞれ健常牛エリアと疾病牛エリアに区分して表示している。
【００２６】
乳牛の状態を変更する場合には（Ｓ１０においてＹｅｓ）、利用者は属性変更アイコン４２（図７参照）を表示する指示を行う（Ｓ１１）。
図６に示す属性変更アイコン閉表示４１を指示することで図７に示す属性変更アイコン４２が表示される（Ｓ１２）。
図７は図６に示す表示イメージ図において属性変更アイコンを表示させた状態を示す表示イメージ図である。
図７に示す属性変更アイコン４２では、出荷制限アイコン４２ａ、健常牛アイコン４２ｂ、分娩確認アイコン４２ｃ、人工授精（ＡＩ）実行アイコン４２ｄ、人工授精（ＥＴ）実行アイコン４２ｅ、発情確認アイコン４２ｆ、及び乾乳移動アイコン４２ｇを示している。
【００２７】
利用者が個体識別番号を属性変更アイコン４２の位置に移動することで（Ｓ１３）、移動された個体識別番号の乳牛について、属性変更アイコン４２で定義された変更情報を端末側記憶部２４に記憶して情報を更新する（Ｓ１４）。
Ｓ１４で情報が更新されると、繁殖ステージ区分別の表示イメージ図では変更情報を反映して表示される（Ｓ１５）
図８はＳ１３における状態変更の操作を説明する繁殖ステージ区分別の表示イメージ図、図９はＳ１５における変更情報が反映された状態での繁殖ステージ区分別の表示イメージ図である。
図７に示す疾病牛４１３を、図８に示すように健常牛アイコン４２ｂの位置に移動することで（Ｓ１３）、健常牛とする日時を入力することができる。日時を入力して「決定」を指示することで、図９に示すように、疾病牛４１３は健常牛４１３として表示される（Ｓ１５）。
なお、健常牛を健常牛アイコン４２ｂの位置に移動しても入力は行えない。すなわち、端末側処理部２５では、健常牛アイコン４２ｂの位置に移動された個体識別番号の乳牛管理情報に疾病牛としての情報が存在しない場合、又は健常牛としての情報が存在する場合には、利用者の操作を受け付けない処理を行う。日時の入力を行うことで、又は健常牛とする日時になると、健常牛としてのエリアに移動表示される。
【００２８】
図示は省略するが、疾病牛を出荷制限アイコン４２ａの位置に移動することで、治療又は投薬を実施した日時、乳又は肉の出荷規制日数を入力することができる。健常牛を出荷制限アイコン４２ａの位置に移動しても入力は行えない。すなわち、端末側処理部２５では、出荷制限アイコン４２ａの位置に移動された個体識別番号の乳牛管理情報に疾病牛としての情報が存在しない場合、又は健常牛としての情報が存在する場合には、利用者の操作を受け付けない処理を行う。
また、妊娠中の乳牛を分娩確認アイコン４２ｃの位置に移動することで、分娩又は出産確認の日時を入力することができる。妊娠中でない乳牛を分娩確認アイコン４２ｃの位置に移動しても入力は行えない。すなわち、端末側処理部２５では、分娩確認アイコン４２ｃの位置に移動された個体識別番号の乳牛管理情報に妊娠中の情報が存在しない場合、又は妊娠中以外の情報（授精待や授精済）が存在する場合には、利用者の操作を受け付けない処理を行う。日時の入力を行うことで、又は分娩又は出産確認の日時になると、妊娠中のエリアから削除される。
また、授精待の乳牛を人工授精（ＡＩ）実行アイコン４２ｄの位置に移動することで、人工授精（ＡＩ）実行の日時を入力することができる。授精待でない乳牛を人工授精（ＡＩ）実行アイコン４２ｄの位置に移動しても入力は行えない。すなわち、端末側処理部２５では、人工授精（ＡＩ）実行アイコン４２ｄの位置に移動された個体識別番号の乳牛管理情報に授精待の情報が存在しない場合、又は授精待以外の情報（授精済や妊娠中）が存在する場合には、利用者の操作を受け付けない処理を行う。日時の入力を行うことで、又は人工授精（ＡＩ）実行の日時になると、授精待のエリアから削除される。
また、授精待の乳牛を人工授精（ＥＴ）実行アイコン４２ｅの位置に移動することで、人工授精（ＥＴ）実行の日時を入力することができる。授精待でない乳牛を人工授精（ＥＴ）実行アイコン４２ｅの位置に移動しても入力は行えない。すなわち、端末側処理部２５では、人工授精（ＥＴ）実行アイコン４２ｅの位置に移動された個体識別番号の乳牛管理情報に授精待の情報が存在しない場合、又は授精待以外の情報（授精済や妊娠中）が存在する場合には、利用者の操作を受け付けない処理を行う。日時の入力を行うことで、又は人工授精（ＡＩ）実行の日時になると、授精待のエリアから削除される。
また、授精待又は授精済の乳牛を発情確認アイコン４２ｆの位置に移動することで、発情確認の日時を入力することができる。妊娠中の乳牛を発情確認アイコン４２ｆの位置に移動しても入力は行えない。すなわち、端末側処理部２５では、発情確認アイコン４２ｆの位置に移動された個体識別番号の乳牛管理情報に授精待又は授精済の情報が存在しない場合、又は授精待又は授精済以外の情報（妊娠中）が存在する場合には、利用者の操作を受け付けない処理を行う。日時の入力を行うことで、又は発情確認の日時になると、授精待又は授精済のエリアから削除されるか、又は該当するエリアに移動（授精待から授精済に移動、授精済から授精待に移動）する。
また、妊娠中の乳牛を乾乳移動アイコン４２ｇの位置に移動することで、乾乳への移動の日時を入力することができる。妊娠中でない乳牛を乾乳移動アイコン４２ｇの位置に移動しても入力は行えない。すなわち、端末側処理部２５では、乾乳移動アイコン４２ｇの位置に移動された個体識別番号の乳牛管理情報に妊娠中の情報が存在しない場合、又は妊娠中以外の情報（授精待や授精済）が存在する場合には、利用者の操作を受け付けない処理を行う。日時の入力を行うことで、又は乾乳への移動の日時になると、妊娠中のエリアから削除される。
【００２９】
Ｓ１５における繁殖ステージ区分別の表示では、更に別の乳牛について変更情報が有る場合には（Ｓ１０においてＹｅｓ）、Ｓ１１からＳ１４の処理流れとなり、全ての変更情報を入力した場合には（Ｓ１０においてＮｏ）、図４に示す泌乳ステージ表示ステップで表示される泌乳ステージ表示となる（Ｓ５）。
【００３０】
図４に示すように、Ｓ５における泌乳ステージ表示では、「入力データ送信」ボタン４３が表示されており、泌乳ステージ区分を表示させる必要がない場合で（Ｓ６でＮｏ）、変更情報をサーバー１０に送信する場合には、「入力データ送信」ボタン４３を指示することで、変更情報がサーバー１０に送信される（Ｓ７でＹｅｓ）。「入力データ送信」ボタン４３を指示しなければ（Ｓ７でＮｏ）、変更情報をサーバー１０に送信することなく終了する。
【００３１】
以上のように、泌乳ステージ区分のいずれかの泌乳ステージ区分を利用者が選択することで、選択された泌乳ステージ区分に該当する乳牛について、繁殖ステージ区分に分けて該当する乳牛がそれぞれの個体識別番号で表示できる。
そして、泌乳ステージ表示ステップにおいては、泌乳初期、泌乳最盛期、泌乳中期、及び泌乳後期別に、該当する乳牛の総数を表示でき、繁殖ステージ表示ステップにおいては、繁殖ステージ区分別に個体識別番号を表示できる。
このように、泌乳ステージ表示ステップでは、泌乳初期、泌乳最盛期、泌乳中期、及び泌乳後期別に、該当する乳牛の総数が表示され、繁殖ステージ表示ステップでは、繁殖ステージ区分別に個体識別番号が表示されるため、全乳牛の状態を泌乳ステージ区分別に把握できるとともに、乳牛について変更情報を入力しやすい。
また、泌乳ステージ区分別に全乳牛の状態を健常牛と疾病牛とに分けて把握でき、繁殖ステージ区分別に健常牛と疾病牛とに分けて個体識別番号を把握できる。
また、個体識別番号を、属性変更アイコン４２の位置、例えば健常牛アイコン４２ｂの位置に移動する操作によって変更情報を可能とすることで、間違いのない変更情報とすることができる。
また、乳牛情報データーベース１１には、個体識別番号とともに疾病情報が登録され、疾病情報には、少なくとも出荷制限開始日を含み、サーバー１０では、出荷制限開始日からの経過日数が出荷制限日数を越えると、疾病情報を変更することで、出荷制限日数があらかじめ決まっている疾病情報については、利用者が操作を行うことなく情報を更新できる。
【００３２】
図１０は、同牛群管理システムの利用において、繁殖ステージ表示から開始する場合の処理フロー図、図１１から図１３は同処理フローで表示される表示イメージ図である。なお、図２に示す処理フロー図で説明した処理と同一処理については同一符号を付して説明を省略する。
乳牛情報データーベース１１から抽出された乳牛管理情報は、サーバー側処理部１２又は端末側処理部２５において、繁殖ステージ区分別に、該当する個体識別番号を集計する（Ｓ２１）。繁殖ステージは、少なくとも妊娠中、授精待、又は授精済に区分する。
【００３３】
Ｓ２１で集計された繁殖ステージ区分別の総数が繁殖ステージ表示として表示される（Ｓ２２）。
Ｓ２２における表示が繁殖ステージ表示ステップであり、繁殖ステージ区分が表示される。
図１１は、繁殖ステージ表示ステップで表示される繁殖ステージの表示イメージ図である。
図１１に示すように、繁殖ステージ区分は、生理空胎、授精待（ＡＩ、ＥＴ）、授精済、妊娠鑑定待、妊娠、及び乾乳に区分することが好ましい。
繁殖ステージは、例えば円表示によるエリアで表示される。図１１では、繁殖ステージを、生理空胎、授精待（ＡＩ、ＥＴ）、授精済、妊娠鑑定待、妊娠、及び乾乳の６つのエリアで表示している。
図１１では、生理空胎では乳牛がゼロ頭、授精待では健常牛が８頭、疾病牛が２頭、授精済では健常牛が３頭、疾病牛が１頭、妊娠鑑定待では健常牛が１５頭、疾病牛が１頭、妊娠では健常牛が２０頭、疾病牛が２頭、乾乳では乳牛がゼロ頭であることを示している。
このように、繁殖ステージ区分別に、乳牛の総数を、健常牛と疾病牛とに分けて表示することが好ましい。
【００３４】
図１１に示す繁殖ステージ表示ステップでいずれかの繁殖ステージ区分を表示させたい場合には（Ｓ２３でＹｅｓ）、利用者は繁殖ステージ区分を選択指示する（Ｓ２４）。
Ｓ２４において授精待を選択した場合には、サーバー側処理部１２又は端末側処理部２５において、選択された繁殖ステージ区分（授精待）に該当する乳牛について、泌乳ステージ区分別に、個体識別番号を抽出する（Ｓ２５）。
【００３５】
Ｓ２５において泌乳ステージ区分別に抽出された個体識別番号が表示される（Ｓ２６）。
Ｓ２６における表示が泌乳ステージ表示ステップであり、選択された繁殖ステージ区分に該当する乳牛について、泌乳ステージ区分別に、個体識別番号が表示される。
図１２は授精待にある乳牛についての泌乳ステージ区分別の表示イメージ図、図１３は授精済にある乳牛についての泌乳ステージ区分別の表示イメージ図である。
泌乳ステージ表示ステップで表示される泌乳ステージ区分は、少なくとも、分娩日から５０日、分娩後５１日から１００日、分娩後１０１日から１５０日、分娩後１５１日から２００日、分娩後２０１日以降に区分されて表示される。
図１１では、授精待には健常牛が８頭、疾病牛が２頭であることが示されているが、図１２では、健常牛８頭の内、分娩後５１日から１００日が３頭、分娩後１０１日から１５０日が２頭、分娩後１５１日から２００日が１頭、分娩後２０１日以降が２頭であり、疾病牛２頭は、分娩後５１日から１００日と、分娩後１５１日から２００日とに各１頭であることを把握できるとともに、それぞれの個体識別番号（５１０〜５１９）を特定することができる。
また図１１では、授精済には健常牛が３頭、疾病牛が１頭であることが示されているが、図１３では、健常牛３頭の内、分娩後１５１日から２００日が１頭、分娩後２０１日以降が２頭、疾病牛１頭は分娩後１５１日から２００日であることを把握できるとともに、それぞれの個体識別番号（６１０〜６１３）を特定することができる。
泌乳ステージは、例えば円表示を半径方向の分割線で５分割し、５分割されたそれぞれのエリアを分娩日から５０日、分娩後５１日から１００日、分娩後１０１日から１５０日、分娩後１５１日から２００日、分娩後２０１日以降として表示し、分娩日から５０日、分娩後５１日から１００日、分娩後１０１日から１５０日、分娩後１５１日から２００日、及び分娩後２０１日以降のエリアは、円表示の分割線によってそれぞれ健常牛エリアと疾病牛エリアに区分して表示している。
【００３６】
乳牛の状態を変更する場合には（Ｓ１０においてＹｅｓ）、利用者は属性変更アイコン４２を表示する指示を行う（Ｓ１１）。
図１２及び図１３に示す属性変更アイコン閉表示４１を指示することで図７に示す属性変更アイコン４２が表示され（Ｓ１２）、既に説明したように変更情報を入力できる。
【００３７】
以上のように、繁殖ステージ区分のいずれかの繁殖ステージ区分を利用者が選択することで、選択された繁殖ステージ区分に該当する乳牛について、泌乳ステージ区分に分けて該当する乳牛がそれぞれの個体識別番号で表示できる。
そして、繁殖ステージ表示ステップにおいては、繁殖ステージ区分別に、該当する乳牛の総数を表示でき、泌乳ステージ表示ステップにおいては、泌乳ステージ区分別に個体識別番号を表示できる。
このように、繁殖ステージ表示ステップでは、繁殖ステージ区分別に、該当する乳牛の総数が表示され、泌乳ステージ表示ステップでは、泌乳ステージ区分別に個体識別番号が表示されるため、全乳牛の状態を繁殖ステージ区分別に把握できるとともに、乳牛について変更情報を入力しやすい。
また、繁殖ステージ区分別に全乳牛の状態を健常牛と疾病牛とに分けて把握でき、泌乳ステージ区分別に健常牛と疾病牛とに分けて個体識別番号を把握できる。
また、個体識別番号を、属性変更アイコン４２の位置、例えば健常牛アイコン４２ｂの位置に移動する操作によって変更情報を可能とすることで、間違いのない変更情報とすることができる。
また、乳牛情報データーベース１１には、個体識別番号とともに疾病情報が登録され、疾病情報には、少なくとも出荷制限開始日を含み、サーバー１０では、出荷制限開始日からの経過日数が出荷制限日数を越えると、疾病情報を変更することで、出荷制限日数があらかじめ決まっている疾病情報については、利用者が操作を行うことなく情報を更新できる。
なお、本実施例では図２に示す処理フローでは泌乳ステージ表示ステップから繁殖ステージ表示ステップに移行する方法を、図１０に示す処理フローでは繁殖ステージ表示ステップから泌乳ステージ表示ステップに移行する方法を説明したが、図２に示す処理流れと図１０に示す処理流れを利用者が選択的に利用できるシステムであってもよい。
【産業上の利用可能性】
【００３８】
本発明は、泌乳ステージ別又は繁殖ステージ別に牛群を管理することができる。
【符号の説明】
【００３９】
１０  サーバー
１１  乳牛情報データーベース
１２  サーバー側処理部
２０  情報端末機
２１  送受信部
２２  表示部
２３  入力部
２４  端末側記憶部
２５  端末側処理部
３０  検定情報ＤＢ
４１  属性変更アイコン閉表示
４２  属性変更アイコン
４２ａ  出荷制限アイコン
４２ｂ  健常牛アイコン
４２ｃ  分娩確認アイコン
４２ｄ  人工授精（ＡＩ）実行アイコン
４２ｅ  人工授精（ＥＴ）実行アイコン
４２ｆ  発情確認アイコン
４２ｇ  乾乳移動アイコン
４３  「入力データ送信」ボタン
【図１】
2020156359.tif 000003
【図２】
2020156359.tif 000004
【図３】
2020156359.tif 000005
【図４】
2020156359.tif 000006
【図５】
2020156359.tif 000007
【図６】
2020156359.tif 000008
【図７】
2020156359.tif 000009
【図８】
2020156359.tif 000010
【図９】
2020156359.tif 000011
【図１０】
2020156359.tif 000012
【図１１】
2020156359.tif 000013
【図１２】
2020156359.tif 000014
【図１３】
2020156359.tif 000015